(57)【特許請求の範囲】
【請求項１】
丁合すべき１単位を成す単位用紙が複数枚連接したぺージ単位用紙群を多数群連続的に供給するように成した供給部と、該供給部から供給されたぺージ単位用紙を裁断して単位用紙となす裁断部と、該裁断部から供給された各単位用紙を、湾曲した移送経路を移送して移送方向を逆転することにより各単位用紙の表裏を反転する反転処理部と、該反転処理部から移送された各単位用紙を丁合し、突き揃えて綴じ合わせる綴じ部と、綴じ合わせて冊子となったものをストックするスタッカ部とを設けた製本装置であって、丁合単位の単位用紙を供給したとき、裁断部からの単位用紙の移送は継続したまま、供給部の動作を一時停止し綴じ処理を行う制御部を備えたことを特徴とする製本装置。
【請求項２】
表紙マークを付した冊子の表紙となる単位用紙とこの単位用紙と丁合すべき１単位を成す単位用紙からなるぺージ単位用紙群を多数群連続的に供給するように成した供給部と、該供給部から供給されたぺージ単位用紙を裁断して単位用紙となす裁断部と、該裁断部から供給された各単位用紙を、湾曲した移送経路を移送して移送方向を逆転することにより各単位用紙の表裏を反転する反転処理部と、該反転処理部から移送された各単位用紙を突き揃えて綴じ合わせる綴じ部と、綴じ合わせて冊子となったものをストックするスタッカ部とを設けた製本装置であって、前記裁断部の手前位置に配置し、前記表紙マークを読み取るマーク読み取り部とを設け、マーク読み取り部で表紙マークを検出し丁合単位の単位用紙を供給したとき、反転処理部での移送は継続したまま、供給部の動作を一時停止し綴じ処理を行う制御部を備えたことを特徴とする製本装置。
【請求項３】
丁合すべき１単位を成す単位用紙が複数枚連接した連続用紙を供給すべく、連続用紙の両側に設けられた移送孔に係合して用紙移送を行うトラクタ装置を設けた供給部と、該供給部から供給された連続用紙を裁断して単位用紙となす裁断部と、該裁断部から供給された各単位用紙を、湾曲した移送経路を移送して移送方向を逆転することにより各単位用紙の表裏を反転する反転処理部と、該反転処理部から移送された各単位用紙を突き揃えて綴じ合わせる綴じ部と、綴じ合わせて冊子となったものをストックするスタッカ部とを設けた製本装置であって、丁合単位の単位用紙を供給したとき、反転処理部での移送は継続したまま、供給部の動作を一時停止し綴じ処理を行う制御部を備えたことを特徴とする製本装置。
【請求項４】
表紙マークを付した冊子の表紙となる単位用紙とこの単位用紙と丁合すべき１単位を成す単位用紙からなる連続用紙を供給すべく、連続用紙の両側に設けられた移送孔に係合して用紙移送を行うトラクタ装置を設けた供給部と、該供給部から供給された連続用紙を裁断して単位用紙となす裁断部と、該裁断部から供給された各単位用紙を、湾曲した移送経路を移送して移送方向を逆転することにより各単位用紙の表裏を反転する反転処理部と、該反転処理部から移送された各単位用紙を突き揃えて綴じ合わせる綴じ部と、綴じ合わせて冊子となったものをストックするスタッカ部とを設けた製本装置であって、前記裁断部の手前位置に配置し、前記表紙マークを読み取るマーク読み取り部とを設け、マーク読み取り部で表紙マークを検出し丁合単位の単位用紙を供給したとき、反転処理部での移送は継続したまま、供給部の動作を一時停止し綴じ処理を行う制御部を備えたことを特徴とする製本装置。
【請求項５】
裁断部で裁断され移送されてきた単位用紙を前記移送経路から排出するためのモード切換部を、反転処理部の移送経路の途中に配置したことを特徴とする請求項１乃至請求項４のうち１項に記載された製本装置。
【発明の詳細な説明】
【０００１】
【発明の属する技術分野】
本発明は、印字された連続用紙あるいはぺージ単位用紙から得た単位用紙を１単位として丁合し、ステープル等で綴じあわせ冊子に製本する製本装置に関する。前記連続用紙は、両側近傍に沿って長手方向に伸びるマージン切り取り用ミシン目と、一定間隔をおいて幅方向に伸びる複数の裁断用ミシン目とが設けられ、各ミシン目によって区分された単位用紙となる区画内に事項欄があらかじめ印刷され、各事項欄に所定事項が各別にページプリンタ（図示せず）で印字されている。そして、単位用紙は表紙となるものとこの単位用紙と丁合すべき１単位を成すよう連設されている。また、ぺージ単位用紙は、１ぺージを複数に裁断して１丁合単位の単位用紙としたものである。
【０００２】
【従来の技術】
従来のこの種製本装置は、例えば、連続用紙を幅方向に伸びる各ミシン目で蛇腹状に折り畳んで重ねた状態で配置し、その上部から順次引き出し供給する供給部と、引き出した連続用紙のマージンを、切り取り用ミシン目で切断し除いた後の連続用紙を裁断用ミシン目で裁断し単位用紙となす裁断部と、単位用紙を単位毎に丁合し、ステープル等で綴じ合わせる綴じ部と、綴じ合わせて冊子となったものを取り出して設定順にストックするスタッカ部とからなる。
【０００３】
【発明が解決しようとする課題】
上記従来例にあっては、設定どおりの順序と枚数で丁合し綴じ合わせること、また、製本された冊子を設定順に正確にストックすることが肝要とされ、また、各部のユニットが連結され装置が大型化したものとなるので、設置スペースが広くなってしまうだけでなく、製本装置として各ユニットを配置してしまうと製本装置をして専用機化し、用紙を裁断するだけの処理ができないことが、この種製本装置の問題となっていた。
【課題を解決するための手段】
【０００４】
本発明は、前述の課題を解決し、装置全体をコンパクト化し、用紙に対して裁断のみの処理も行えるようにした製本装置を提供することを目的とし、該目的を達成するため第１に、丁合すべき１単位を成す単位用紙が複数枚連接したぺージ単位用紙群を多数群連続的に供給するように成した供給部と、該供給部から供給されたぺージ単位用紙を裁断して単位用紙となす裁断部と、該裁断部から供給された各単位用紙を、湾曲した移送経路を移送して移送方向を逆転することにより各単位用紙の表裏を反転する反転処理部と、該反転処理部から移送された各単位用紙を丁合し、突き揃えて綴じ合わせる綴じ部と、綴じ合わせて冊子となったものをストックするスタッカ部とを設けた製本装置であって、丁合単位の単位用紙を供給したとき、裁断部からの単位用紙の移送は継続したまま、供給部の動作を一時停止し綴じ処理を行う制御部を備えたものである。
【０００５】
また本発明は第２に、表紙マークを付した冊子の表紙となる単位用紙とこの単位用紙と丁合すべき１単位を成す単位用紙からなるぺージ単位用紙群を多数群連続的に供給するように成した供給部と、該供給部から供給されたぺージ単位用紙を裁断して単位用紙となす裁断部と、該裁断部から供給された各単位用紙を、湾曲した移送経路を移送して移送方向を逆転することにより各単位用紙の表裏を反転する反転処理部と、該反転処理部から移送された各単位用紙を突き揃えて綴じ合わせる綴じ部と、綴じ合わせて冊子となったものをストックするスタッカ部とを設けた製本装置であって、前記裁断部の手前位置に配置し、前記表紙マークを読み取るマーク読み取り部とを設け、マーク読み取り部で表紙マークを検出し丁合単位の単位用紙を供給したとき、反転処理部での移送は継続したまま、供給部の動作を一時停止し綴じ処理を行う制御部を備えたものである。
【０００６】
さらに本発明は第３に、丁合すべき１単位を成す単位用紙が複数枚連接した連続用紙を供給すべく、連続用紙の両側に設けられた移送孔に係合して用紙移送を行うトラクタ装置を設けた供給部と、該供給部から供給された連続用紙を裁断して単位用紙となす裁断部と、該裁断部から供給された各単位用紙を、湾曲した移送経路を移送して移送方向を逆転することにより各単位用紙の表裏を反転する反転処理部と、該反転処理部から移送された各単位用紙を突き揃えて綴じ合わせる綴じ部と、綴じ合わせて冊子となったものをストックするスタッカ部とを設けた製本装置であって、丁合単位の単位用紙を供給したとき、反転処理部での移送は継続したまま、供給部の動作を一時停止し綴じ処理を行う制御部を備えたものである。
【０００７】
またさらに本発明は第４に、表紙マークを付した冊子の表紙となる単位用紙とこの単位用紙と丁合すべき１単位を成す単位用紙からなる連続用紙を供給すべく、連続用紙の両側に設けられた移送孔に係合して用紙移送を行うトラクタ装置を設けた供給部と、該供給部から供給された連続用紙を裁断して単位用紙となす裁断部と、該裁断部から供給された各単位用紙を、湾曲した移送経路を移送して移送方向を逆転することにより各単位用紙の表裏を反転する反転処理部と、該反転処理部から移送された各単位用紙を突き揃えて綴じ合わせる綴じ部と、綴じ合わせて冊子となったものをストックするスタッカ部と、前記裁断部の手前位置に配置し、前記表紙マークを読み取るマーク読み取り部とを設け、マーク読み取り部で表紙マークを検出し丁合単位の単位用紙を供給したとき、反転処理部での移送は継続したまま、供給部の動作を一時停止し綴じ処理を行う制御部を備えたものである。
【０００８】
また本発明は第５に、前記第１、第２、第３、第４の何れか一つの構成に加えて、裁断部で裁断され移送されてきた単位用紙を前記移送経路から排出するためのモード切換部を、反転処理部の移送経路の途中に配置したものである。
【０００９】
【発明の実施の形態】
以下に、本発明を連続用紙を処理するものに適用した好適な実施の形態を添付図面に基づいて詳細に説明する。ここにおいて、添付図面の図１は縦断正面図、図２は要部の拡大正面図、図３は連続用紙の部分図、図４は各部の回路接続図、図５は動作のフローチャートである。
【００１０】
図１及び図２に示すように、製本装置１は、連続用紙２を、蛇腹状に折り畳んで重ねた状態で配置し上部から引き出して次工程に供給する供給部３と、引き出した連続用紙２の後述するマージンを取り除くスリッター４と、マージンを取り除いた連続用紙２を裁断し単位用紙５ａ，５ｂ・・・となす裁断部６と、単位用紙５ａ，５ｂ・・・を裁断部６からの各単位用紙５ａ，５ｂ・・・を、湾曲した移送経路を移送して移送方向を逆転することにより各単位用紙５ａ，５ｂ・・・の表裏を反転する反転処理部７と、単位用紙５ａ，５ｂ・・・を冊子となる単位毎に丁合し、揃えローラ８で突き揃えて綴じ合わせる綴じ部９と、単位用紙５ａ，５ｂ・・・を綴じ合わせた冊子（図示せず）を取り出してストックするスタッカ部１０とを備える。
【００１１】
図３に示すように、前記連続用紙２は、両側近傍に沿って長手方向に伸びるマージン１１ａ，１１ａを切り取るための切り取り用ミシン目１１，１１と、一定間隔をおいて幅方向に伸びる複数の裁断用ミシン目１２・・・とが設けられ、切り取り用ミシン目１１，１１と裁断用ミシン目１２・・・によって区分され、単位用紙５ａ，５ｂ・・・となる区画内に事項欄１３・・・があらかじめ印刷されている。前記マージン１１ａ，１１ａには、後述するトラクタ装置１８に係合する移送孔１１ｂ・・・，１１ｂ・・・が設けてある。そして、各事項欄１３・・・内に所定事項１４・・・が各別にページプリンタ（図示せず）で印字され、単位用紙５ａ，５ｂ・・・は、表紙マーク１５が付された表紙になる単位用紙５ａと、これに続く所定枚数の単位用紙５ｂ・・・とで１丁合単位となるよう、かつこの丁合単位が繰り返し連設されている。
【００１２】
図１に示すように、連続用紙２の移動方向における裁断部６の手前位置には、連続用紙２に区画された表紙となる単位用紙５ａの前記表紙マーク１５を読み取る第１のマーク読み取り部１６が設けられ、また、綴じ部９近傍位置には、裁断された単位用紙５ａの表紙マーク１５を読み取る第２のマーク読み取り部１７が設けられている。そして、第１のマーク読み取り部１６で表紙マーク１５を検出したとき、裁断部６からの単位用紙５ａ，５ｂ・・・の移送は継続したまま、供給部３からの連続用紙２の供給及びスリッター４を停止し、第２のマーク読み取り部１７で表紙マーク１５を検出したとき、綴じ部９を始動させるものである。また、単位用紙５ａ，５ｂ・・・を綴じ合わせてなる冊子を排出すると、連続用紙２の供給、スリッター４の駆動を再開し、反転処理部７の移送を継続するように構成してある。
【００１３】
図１に明示したように、前記供給部３は、蛇腹状に折り畳んだ状態で収容した連続用紙２を上部から引き出し裁断部６に供給するように、連続用紙２両側のマージン１１ａ、１１ａの前記移送孔１１ｂ・・・に係合して連続用紙２を引き出すトラクタ装置１８、水平に移送するためのフィードロール１９，１９とを備える。また、前記スリッター４は、連続用紙２のマージン１１ａ，１１ａを取り除くべく、切り取り用ミシン目１１，１１（図３参照）をカットするよう構成されている。図中、符号２０は、切り取った前記マージン１１ａ，１１ａを収納するマージナルボックスである。
【００１４】
図１に明示したように、前記裁断部６は、マージン１１ａ，１１ａを取り除いた連続用紙２を、速度差により裁断用ミシン目１２・・・で裁断するための低速ローラ２１及び高速ローラ２２と、裁断を補助するブレード２３とを備える。
【００１５】
図１及び図２に明示したように、前記反転処理部７は、一端を前記裁断部６に連繋し、対をなす複数のフィードローラ２４・・・を連設することによって、供給部から供給された各単位用紙５ａ，５ｂ・・・を、湾曲した移送経路を移送して移送方向を逆転することにより該各単位用紙５ａ，５ｂ・・・の表裏を反転するよう、すなわち、水平状態から下方に向けて弧を描くように反転して伸びるように設置する。これらフィードローラ２４・・・は、単位用紙５ａ、５ｂ・・・を、裁断部６で裁断された順序で綴じ部９にそれぞれ一対のローラで順次挟んで移送するものである。
【００１６】
図２に明示したように、前記反転処理部７の中間位置には、移送されてきた単位用紙５ａ、５ｂ・・・を必要に応じて移送経路から排出するためのモード切換部２５が設けてある。このモード切換部２５は、回転軸２６ａを中心に回転変位し、その先端が反転処理部７の移送経路の内側あるいは外側に変位するようになしたモード切換爪２６と、該モード切換爪２６に連繋するように配置し、前記移送経路から取り出した単位用紙５ａ、５ｂ・・・をそのままスタッカ部１０に排出するためのフィードローラ２７・・・と、モード切換爪２６と上端のフィードローラ２７を連繋するガイド板２８で構成する。このモード切換部２５によって、連続用紙処理装置１を連続用紙２のカッター装置に切り換えることが可能となる。
【００１７】
図２に明示したように、前記綴じ部９は、１単位の単位用紙５ａ、５ｂ・・・を、表紙となる単位用紙５ａが下側になって重なった状態で支持する支持板２９と、上下に変位する単位用紙５ａ、５ｂ・・・のストッパー３０と、上下に変位し、下位に変位したとき進入してきた単位用紙５ａ、５ｂ・・・の各裏面に当接して回転し、単位用紙５ａ、５ｂ・・・を前記ストッパー３０側にスライドさせて突き揃えるための揃えローラ８と、丁合された単位用紙５ａ，５ｂ・・・を綴じ合わせるステッチャー３１とからなる。この綴じ部９は、表紙となる単位用紙５ａの表紙マーク１５を第２のマーク読み取り部１７が検知すると、揃えローラ８が下位に変位しかつ回転して該単位用紙５ａの先端縁をストッパー３０に押し付けるようにして突き揃える。続いて、後続の単位用紙５ｂ・・・が順次到着すると同様に各単位用紙５ｂの先端縁をストッパー３０に押し付けて突き揃える。このようにして、１単位の単位用紙５ａ、５ｂ・・・が丁合されると、ステッチャー３１が作動して綴じ合わせが行われ、ストッパー３０が上昇し、できあがった冊子がスタッカ部１０に排出される。また、前記ストッパー３０の外側には図示しない冊子検知器が配置され、綴じ部９から冊子が排出されたことを検知するように構成されている。
【００１８】
図１及び図２に明示したように、スタッカ部１０は、コンベア３２と、該コンベア３２の外端（図面上、右端）に設けた傾斜ストッパー３３と、コンベア３２の外側部位を支持する、装置本体に着脱可能に取り付けた支持枠３４と、綴じ部９から送られた冊子が落下しないよう、コンベア３２の内端（図面上、左端）に設けたストッパー３５とから構成する。そして、綴じ部９からコンベア３２に排出された冊子は、コンベア３２を図面の左端から右端に向かって移送され、傾斜ストッパー３３の斜面によりかかった状態で斜めに立ち、続く冊子が前記冊子の斜面によりかかった状態で斜めに立つという動作を繰り返して冊子をストックするものである。図中、符号３６は、ストックされた冊子を必要に応じて収容するためのインサータである。
【００１９】
図４に明示したように、製本装置１は、各部の動作を制御部３７で制御するように構成されている。また、図１に明示したように、この製本装置１における供給部３、反転処理部７及びコンベア３２等は、モータ３８によって駆動される。なお図中、符号３９は、キーボード（図示せず）に各種操作キーを配置してなる操作部、符号４０は、仕上げた冊子の数等を記憶する記憶部、符号４１は、製本装置１の駆動状態や仕上げた冊子の数等を表示する表示部である。
【００２０】
続いて、製本装置１の冊子モードの動作を図５を参照しながら説明する。操作者が操作部３９のキーを操作して冊子の設定数等の設定、モード設定（冊子モード）等を入力し、スタートキーをオンすると、供給部３、裁断部６及び反転処理部７が駆動し（ステップ１０１）、連続用紙２が裁断部６に送られて裁断され、表紙となる単位用紙５ａと２ぺージ以降の単位用紙５ｂ・・・が連設された順番で反転処理部７を通って綴じ部９に移送される。続いて、１丁合単位の単位用紙５ａ，５ｂ・・・が裁断部６から送り出された後、連続用紙２の進行端に区画された次の表紙となる単位用紙５ａが裁断部６手前位置に達すると、第１のマーク読み取り部１６が表紙マーク１５を検出し（ステップ１０２）、反転処理部７は駆動状態のまま、供給部３による連続用紙２の供給を停止する（ステップ１０３）。
【００２１】
一方、反転処理部７を移送される先の単位用紙５ａ，５ｂ・・・のうち表紙となる単位用紙５ａが反転状態で綴じ部９に到着して第２のマーク読み取り部１７がその表紙マーク１５を検出する（ステップ１０４）と、綴じ部９が駆動する（ステップ１０５）。該綴じ部９の駆動で、揃えローラ３１が下位に変位しかつ回転して該単位用紙５ａの先端縁をストッパー３０に押し付けるようにして突き揃え、後続の単位用紙５ｂ・・・が順次到着すると同様に各単位用紙５ｂ・・・の先端縁をストッパー３０に押し付けて突き揃える。このようにして、１単位の単位用紙５ａ、５ｂ・・・が丁合されると、ステッチャー３１が作動して綴じ合わせが行われ、ストッパー３０が上昇し、冊子となってスタッカ部１０のコンベア３２上に排出され、図示しない冊子検知器がこれを検知する（ステップ１０６）。
【００２２】
このように冊子の排出が検知され、かつ検知された冊子が設定数に達していない場合は、ステップ１０１に戻って供給部３、裁断部６及び反転処理部７が駆動し、前述の動作が繰り返される一方、同じく冊子が設定数に達した場合には、停止信号が出力され（ステップ１０７）、製本装置１は停止する。
【００２３】
また、コンベア３２に排出された冊子は、コンベア３２上を図面の左端から右端に向かって移送され、傾斜ストッパー３３の斜面によりかかった状態で斜めに立ち、続く冊子が前の冊子の斜面によりかかった状態で斜めに立つという動作を繰り返してストックされる。なお、ストックされた冊子は必要に応じてインサータ３６に収容する。
【００２４】
なお、本発明は前記実施の形態に限定されるものではなく、例えば、連続用紙ではなく、丁合すべき１単位を成す単位用紙が複数枚連接したぺージ単位用紙を処理するものに適用してもよい。
【００２５】
【発明の効果】
以上のように、請求項１記載された本発明は、丁合すべき１単位を成す単位用紙が複数枚連接したぺージ単位用紙を、設定どおりの順序と枚数で丁合し綴じ合わせることができるとともに、冊子になったものを取り出して設定順に正確にストックすることができるという効果を奏する。
【００２６】
また、請求項２に記載された本発明は、請求項１に記載された発明の効果に加えて、連続用紙を設定どおりの順序でより正確に丁合し綴じ合わせることができるという効果を奏する。
【００２７】
さらに、請求項３に記載された本発明は、連続用紙を確実に裁断し、裁断して得た設定どおりの順序と枚数で丁合し綴じ合わせることができるとともに、冊子になったものを取り出して設定順に正確にストックすることができ、かつ、トラクタ装置によってぺージ単位用紙を供給部から裁断部に確実に移送できるという効果を奏する。
【００２８】
またさらに、請求項４に記載された本発明は、請求項３に記載された発明の効果に加えて、連続用紙を設定どおりの順序でより正確に丁合し綴じ合わせることができるという効果を奏する。
【００２９】
また、請求項５に記載された本発明は、請求項１乃至請求項４にうちの何れか１項に記載された発明の効果に加えて、必要に応じて連続用紙の排出のみのモードに切り換えことができるという効果を奏する。
【図面の簡単な説明】
【図１】  縦断正面図。
【図２】  要部の拡大正面図。
【図３】  連続用紙の部分図。
【図４】  各部の回路接続図。
【図５】  動作のフローチャート。
【符号の説明】
１  製本装置
２  連続用紙
３  供給部
５ａ、５ｂ  単位用紙
６  裁断部
８  揃えローラ
７  反転処理部
９  綴じ部
１０  スタッカ部
１１ａ  マージン
１１ｂ  移送孔
１２  裁断用ミシン目
１５  表紙マーク
１６  第１のマーク読み取り部
１７  第２のマーク読み取り部
１８  トラクタ装置
２５  モード切換部
２９  支持板
３０  ストッパー
３１  ステッチャー
３２  コンベア
３３  傾斜ストッパー
３７  制御部
【図１】
0003759803.tif 000002
【図２】
0003759803.tif 000003
【図３】
0003759803.tif 000004
【図４】
0003759803.tif 000005
【図５】
0003759803.tif 000006